(57)【要約】  【課題】  高感度で加入者引込線に送出される呼出信号などの低周波信号を検知することができ、かつ、より実用化に適した具体的技術的手段としての電話用低周波信号検知器を提供すること。  【解決手段】  センサ回路６は、加入者引込線５０から発生する漏洩電界の変化を受けて、それに対応する所定の検知信号を出力するものであり、主に、アンテナ板７と、センサ用コンデンサ８とを備えている。アンテナ板７は、加入者引込線５０に呼出信号が送出される場合に加入者引込線５０の近傍で変化する漏洩電界を、その加入者引込線５０に近接した位置で静電誘導により受信するものである。このアンテナ板７は、導電性材料で略矩形板状に形成されており、その上面がケース体２の内壁面に当接されて接着されている。また、アンテナ板７の下面には、センサ用コンデンサ８の上側の外表面が接着されている。【選択図】        図２
2007258764.tif 000002
【特許請求の範囲】
【請求項１】
電話交換機側から加入者引込線に送出される低周波信号を検知するための電話用低周波信号検知器において、
加入者引込線に近接して使用され、その低周波信号の送出に伴う加入者引込線の漏洩電界変化を受信する導電体製のアンテナ素子を有し、そのアンテナ素子により受信された電界変化に基づいて所定の検知信号を出力するセンサ回路と、
そのセンサ回路の出力端と電気的に接続され、そのセンサ回路からの検知信号を増幅して出力する増幅回路と、
その増幅回路の出力端と電気的に接続され、その増幅回路によって増幅された検知信号に基づいて、加入者引込線に低周波信号が送出されていることを報知するための報知動作を実行する報知回路とを備えており、
前記アンテナ素子は、加入者引込線の外周に一面が向けられる板状部を備えており、
前記センサ回路は、そのセンサ回路の出力端間に電気的に接続されるセンサ用コンデンサを有しており、そのセンサ用コンデンサにおける一方の電極板に前記アンテナ素子が電気的に接続されるか、又は、そのセンサ用コンデンサにおける一方の電極板側の外表面に前記アンテナ素子が近接配置されていることを特徴とする電話用低周波信号検知器。
【請求項２】
電話交換機側から加入者引込線に送出される低周波信号を検知するための電話用低周波信号検知器において、
加入者引込線に近接して使用され、その低周波信号の送出に伴う加入者引込線の漏洩電界変化を受信する導電体製のアンテナ素子を有し、そのアンテナ素子により受信された電界変化に基づいて所定の検知信号を出力するセンサ回路と、
そのセンサ回路の出力端と電気的に接続され、そのセンサ回路からの検知信号を増幅して出力する増幅回路と、
その増幅回路の出力端と電気的に接続され、その増幅回路によって増幅された検知信号に基づいて、加入者引込線に低周波信号が送出されていることを報知するための報知動作を実行する報知回路とを備えており、
前記アンテナ素子は、加入者引込線の外径以上の間隔を隔てて互いに略平行に対向配置される一対の板状部を備えており、この一対の板状部間に加入者引込線が介挿可能に形成されており、この各板状部が前記センサ回路の各出力端に電気的にそれぞれ接続されていることを特徴とする電話用低周波信号検知器。
【請求項３】
前記センサ回路は、そのセンサ回路の出力端間に電気的に接続されるセンサ用コンデンサを有しており、そのセンサ用コンデンサにおける一方の電極板に前記アンテナ素子の一方の板状部が、そのセンサ用コンデンサの他方の電極板に前記アンテナ素子の他方の板状部が、それぞれ電気的に接続されていることを特徴とする請求項２記載の電話用低周波信号検知器。
【請求項４】
前記センサ回路、増幅回路及び報知回路は、電話交換機側から送出される低周波信号の信号アースに電気的に非接続状態で駆動されるものであることを特徴とする請求項１から３のいずれかに記載の電話用低周波信号検知器。
【請求項５】
前記センサ回路、増幅回路及び報知回路は、略手の平サイズの筐体内に収容されており、その筐体には前記アンテナ素子が一体的に配設されていることを特徴とする請求項１から４のいずれかに記載の電話用低周波信号検出器。
【発明の詳細な説明】
【技術分野】
【０００１】
本発明は、呼出信号などの低周波信号が、電話交換機側からアナログ電話回線を通じて、撚り対線などの加入者引込線にまで送出されてくる場合に、その低周波信号の通電に起因して、加入者引込線から生じる微弱な漏洩電界の変化を、加入者引込線に接近した位置で検知するための検知器に関するものである。
【背景技術】
【０００２】
従来より、電話ケーブルの接続工事では、その終了後に電話回線が顧客宅の加入者引込線に正常に配線されているかを確認するため、局舎内の電話交換機から顧客宅の電話機に発呼して、その顧客宅の電話機を鳴動させる確認試験、いわゆる呼出試験が行われている。この呼出試験によれば、顧客自身又は顧客宅に立ち入った現場作業員が、鳴動した顧客宅の電話機をオフフックして通話状態にすることで電話交換機側に応答し、この応答をもって顧客宅への配線が正常であることを確認可能である。
【特許文献１】実開平７−４２２５４号公報
【発明の開示】
【発明が解決しようとする課題】
【０００３】
しかしながら、上記した呼出試験では、顧客宅に顧客が不在のときは、その顧客宅内で電話機が鳴動していても、誰一人として電話機を通話状態にすることができないため、電話回線が顧客宅の加入者引込線に正常に配線されているかを確認することができなかった。このため、顧客宅が不在の状態であっても、電話回線が正常に顧客宅の加入者引込線に配線されているか否かを確認するために、上記特許文献記載の信号検知器などが提案されている。
【０００４】
本発明は、上述した特許文献記載の信号検知器に対して、これとは異なる方式によって更に高感度で加入者引込線に送出されてくる呼出信号などの低周波信号を検知することができ、かつ、より実用化に適した具体的技術的手段としての電話用低周波信号検知器を提供することを目的としている。
【課題を解決するための手段】
【０００５】
この目的を達成するために請求項１記載の電話用低周波信号検知器は、電話交換機側から加入者引込線に送出される低周波信号を検知するためのものであり、加入者引込線に近接して使用され、その低周波信号の送出に伴う加入者引込線の漏洩電界変化を受信する導電体製のアンテナ素子を有し、そのアンテナ素子により受信された電界変化に基づいて所定の検知信号を出力するセンサ回路と、そのセンサ回路の出力端と電気的に接続され、そのセンサ回路からの検知信号を増幅して出力する増幅回路と、その増幅回路の出力端と電気的に接続され、その増幅回路によって増幅された検知信号に基づいて、加入者引込線に低周波信号が送出されていることを報知するための報知動作を実行する報知回路とを備えており、前記アンテナ素子は、加入者引込線の外周に一面が向けられる板状部を備えており、前記センサ回路は、そのセンサ回路の出力端間に電気的に接続されるセンサ用コンデンサを有しており、そのセンサ用コンデンサにおける一方の電極板に前記アンテナ素子が電気的に接続されるか、又は、そのセンサ用コンデンサにおける一方の電極板側の外表面に前記アンテナ素子が近接配置されている。
【０００６】
この請求項１記載の電話用低周波信号検知器によれば、センサ回路のアンテナ素子は加入者引込線に近接させて使用される。ここで、アンテナ素子の板状部は、その一面が加入者引込線の外周に向けられる。そして、このとき、電話回線と加入者引込線とが正常に接続されているならば、低周波信号が電話交換機側から顧客宅の電話機に向けて送出されると、加入者引込線にまで低周波信号が送出されてきて、その結果、加入者引込線の漏洩電界の変化が生起され、その漏洩電界の変化がアンテナ素子の板状部によって受信される。
【０００７】
なお、アンテナ素子を加入者引込線に近接させる場合、そのアンテナ素子の板状部を加入者引込線の軸方向に略平行な姿勢で、かつ、その板状部の一面を加入者引込線の外周に対向させるようにすることで、微弱漏洩電界の検知感度が高められる。
【０００８】
このようにアンテナ素子の板状部が電界変化を受信すると、センサ回路からは、アンテナ素子が受信した電界変化に基づいた所定の検知信号が増幅回路へ出力される。具体的には、加入者引込線からの漏洩電界の影響が、アンテナ素子を介してセンサ用コンデンサにおける一方の電極板に作用する。そして、センサ回路は、このセンサ用コンデンサを介して得られた周期的変化を伴う信号を、センサ回路の出力端からセンサ回路の検知信号として、増幅回路へ出力するのである。
【０００９】
そして、増幅回路は、その検知信号を増幅して報知回路へ出力し、更に、この検知信号を受けた報知回路では、加入者引込線に低周波信号が送出されてきていることを報知するための報知動作が実行される。この報知動作を通じて、現場作業員は、低周波信号が電話交換機側から加入者引込線にまで送出されてきていることを確認することができる。
【００１０】
一方、電話回線と加入者引込線とが誤って接続されている場合は、電話交換機側から低周波信号が送出されても、その低周波信号が加入者引込線に対して送出されることはないので、加入者引込線に漏洩電界の変化が生じることもない。よって、報知回路による報知動作がなされることもないので、現場作業員は、電話交換機側から送出されてくるはずの低周波信号が加入者引込線まで到達していない、つまり、電話回線と加入者引込線との接続が誤っているものと判断できるのである。
【００１１】
請求項２記載の電話用低周波信号検知器は、電話交換機側から加入者引込線に送出される低周波信号を検知するためのものであり、加入者引込線に近接して使用され、その低周波信号の送出に伴う加入者引込線の漏洩電界変化を受信する導電体製のアンテナ素子を有し、そのアンテナ素子により受信された電界変化に基づいて所定の検知信号を出力するセンサ回路と、そのセンサ回路の出力端と電気的に接続され、そのセンサ回路からの検知信号を増幅して出力する増幅回路と、その増幅回路の出力端と電気的に接続され、その増幅回路によって増幅された検知信号に基づいて、加入者引込線に低周波信号が送出されていることを報知するための報知動作を実行する報知回路とを備えており、前記アンテナ素子は、加入者引込線の外径以上の間隔を隔てて互いに略平行に対向配置される一対の板状部を備えており、この一対の板状部間に加入者引込線が介挿可能に形成されており、この各板状部が前記センサ回路の各出力端に電気的にそれぞれ接続されている。
【００１２】
この請求項２記載の電話用低周波信号検知器によれば、センサ回路のアンテナ素子は加入者引込線に近接させて使用される。具体的には、アンテナ素子は、加入者引込線の外径以上の間隔を隔てて互いに略平行に対向配置される一対の板状部を備えており、加入者引込線は、これらの一対の板状部間に介挿される。このとき、電話回線と加入者引込線とが正常に接続されているならば、低周波信号が電話交換機側から顧客宅の電話機に向けて送出されると、加入者引込線にまで低周波信号が送出されてきて、その結果、加入者引込線の漏洩電界の変化が生起され、その漏洩電界の変化がアンテナ素子における一対の板状部によって受信される。
【００１３】
このようにアンテナ素子における一対の板状部が電界変化を受信すると、センサ回路からは、アンテナ素子が受信した電界変化に基づいた所定の検知信号が増幅回路へ出力される。そして、増幅回路は、その検知信号を増幅して報知回路へ出力し、更に、この検知信号を受けた報知回路では、加入者引込線にまで低周波信号が送出されてきていることを報知するための報知動作が実行される。この報知動作を通じて、作業員は、電話交換機側から送出されてくる低周波信号が加入者引込線にまで到達していることを確認することができる。
【００１４】
一方、電話回線と加入者引込線とが誤って接続されている場合は、電話交換機側から低周波信号が送出されても、その低周波信号が加入者引込線に送出されることはないので、加入者引込線に漏洩電界の変化が生じることもない。よって、報知回路による報知動作がなされることもないので、現場作業員は、電話交換機側から送出されてくるはずの低周波信号が加入者引込線にまで到達していないと、つまり、電話回線と加入者引込線との接続が誤っているものと判断できるのである。
【００１５】
請求項３記載の電話用低周波信号検知器は、請求項２記載の電話用低周波信号検知器において、前記センサ回路は、そのセンサ回路の出力端間に電気的に接続されるセンサ用コンデンサを有しており、そのセンサ用コンデンサにおける一方の電極板に前記アンテナ素子の一方の板状部が、そのセンサ用コンデンサの他方の電極板に前記アンテナ素子の他方の板状部が、それぞれ電気的に接続されている。
【００１６】
この請求項３記載の電話用低周波信号検知器によれば、請求項２記載の電話用低周波信号検知器と同様に作用する上、アンテナ素子における一対の板状部が電界変化を受信すると、センサ回路では、その一方の板状部が受けた漏洩電界がセンサ用コンデンサにおける一方の電極板に作用し、その他方の板状部が受けた漏洩電界がセンサ用コンデンサにおける他方の電極板に作用する。そして、センサ回路は、このセンサ用コンデンサを介して得られた周期的変化を伴う信号を、そのセンサ回路の出力端から検知信号として、増幅回路へ出力するのである。
【００１７】
請求項４記載の電話用低周波信号検知器は、請求項１から３のいずれかに記載の電話用低周波信号検知器において、前記センサ回路、増幅回路及び報知回路は、電話交換機側から送出される低周波信号の信号アースに電気的に非接続状態で駆動されるものである。
【００１８】
請求項５記載の電話用低周波信号検出器は、請求項１から４のいずれかに記載の電話用低周波信号検出器において、前記センサ回路、増幅回路及び報知回路は、略手の平サイズの筐体内に収容されており、その筐体には前記アンテナ素子が一体的に配設されている。
【発明の効果】
【００１９】
本発明の電話用低周波信号検知器によれば、顧客宅内へ立ち入ることなく、顧客宅に引き込まれている加入者引込線が生ずる漏洩電界の変化を検出することによって、その加入者引込線にまで低周波信号が送出されてきていることを確認することができるので、顧客宅が不在状態でも、電話交換機側と加入者引込線とが正常に接続されていることを確認することができるという効果がある。
【００２０】
また、この電話用低周波信号検知器は、加入者引込線に生ずる漏洩電界の変化を検知するものであるので、電話交換機側から呼出信号が送出されることで加入者引込線に漏洩電界が生起されさえすれば、加入者引込線の先に接続される電話機器が存在しなくても、かかる加入者引込線に対する呼出信号の送出の有無を検出することができるという効果がある。
【００２１】
例えば、顧客宅に加入者引込線は存在するが、その加入者引込線には電話機やファクシミリ装置などが一切接続されておらず、加入者引込線の終端側が開放状態であっても、電話回線の休止届が提出されていない限り、そのような電話機器が加入者引込線に接続されている場合と同様に、加入者引込線に対して送出される呼出信号に起因した漏洩電界の変化を検知することができるのである。
【００２２】
特に、請求項１記載の電話用低周波信号検出器によれば、センサ回路において、そのアンテナ素子の板状部が、加入者引込線の軸方向に対して略平行な姿勢で、かつ、加入者引込線の外周に一面が対向される姿勢で、加入者引込線に近接されることで、加入者引込線からの微弱漏洩電界を高感度で捕捉することができるという効果がある。また、センサ回路の出力端間にセンサ用コンデンサを接続することで、センサ回路と増幅回路との間におけるインピーダンス整合性を高めることができるという効果がある。
【００２３】
しかも、センサ回路の出力端間にセンサ用コンデンサを接続して、このセンサ用コンデンサにおける一方の電極板にアンテナ素子を電気的に接続するか、又は、このセンサ用コンデンサにおける一方の電極板側の外表面にアンテナ素子を近接配置することで、アンテナ素子の感度を更に向上させることもできるという効果がある。
【００２４】
特に、請求項２記載の電話用低周波信号検知器によれば、アンテナ素子は、加入者引込線の外径以上の間隔を隔てて互いに略平行に対向配置される一対の板状部を備えており、この一対の板状部間に加入者引込線を介挿させて、その加入者引込線に送出されている低周波信号に起因した漏洩電界を捕捉するようにしたことで、更に高感度で漏洩電界の変化を受信することができるようになり、更に、電力線等からの影響を受け難くすることができるという効果がある。
【００２５】
特に、請求項３記載の電話用低周波信号検出器によれば、上記のようにアンテナ素子に対してセンサ用コンデンサを並列接続することで、加入者引込線に低周波信号が送出されている場合に漏洩する電界変化を、請求項２記載の電話用低周波信号検出器に比べて更に高感度で捕捉することができるという効果がある。
【００２６】
特に、請求項４記載の電話用低周波信号検知器によれば、この電話用低周波信号検出器の各回路を、電話交換機側から送出される低周波信号の信号アースに電気的に接続せずとも、加入者引込線に送出されている低周波信号の有無を検知することができるという効果がある。
【００２７】
特に、請求項５記載の電話用低周波信号検知器によれば、アンテナ素子が一体的に配設されている筐体内にはセンサ回路、増幅回路及び報知回路が収容され、その筐体自体が略手の平サイズのコンパクトサイズに形成されているので、片手で筐体を持って、加入者引込線にアンテナ素子を容易に近づけることができるという効果がある。
【発明を実施するための最良の形態】
【００２８】
以下、本発明の好ましい実施例について、添付図面を参照して説明する。図１は、本発明の一実施例である呼出信号検知器１の外観斜視図である。呼出信号検知器１は、電話交換機（図示せず）側からアナログ電話回線を通じて送出されてくる低周波信号が加入者引込線５０（図２（ａ）参照）にまで送出されているか否かを検知するためのもの機器であり、具体的には、略１６Ｈｚの呼出信号が加入者引込線５０に流れているか否かを検知する機器である。
【００２９】
この呼出信号検知器１は、後述するセンサ回路６、増幅回路９、報知ＬＥＤ４および電源電池１０を内部に収容するケース体２を備えており、このケース体２は、薄型かつ略手の平サイズの略中空直方体状に形成されている。また、このケース体２の右側面には、呼出信号検知器１の電源をオンオフするためのスライドスイッチ３が配設されており、ケース体２の前面には、スライドスイッチ３がオンされた場合に点灯され、かつ、加入者引込線５０に送出される呼出信号を検知した場合に点滅される発光素子である報知ＬＥＤ４が露出されている。
【００３０】
更に、ケース体２の上端面には、ケース体２内に被包されているセンサ回路６の配設位置を利用者に対して指示するための目印となる、センサ位置マーカ５が設けられている。したがって、利用者は、呼出信号検知器１により加入者引込線５０に送出される呼出信号を検知するときに、このセンサ位置マーカ５を加入者引込線５０に近接させるように向けて、加入者引込線５０から発生する漏洩電界の変化を検知するようにすればよいことを知ることができる。
【００３１】
図２（ａ）は、呼出信号検知器１の正面図であって、その内部構造を部分的に拡大断面視したものであり、図２（ｂ）は、図２（ａ）のＢ−Ｂ’線における断面図であり、図２（ｃ）は、図２（ｂ）のＣ−Ｃ’線における断面図であってセンサ用コンデンサ８の内部構造を示したものである。なお、図２（ａ）中の２点鎖線は、呼出信号検知器１を使用する場合における、呼出信号検知器１に対する加入者引込線５０の位置関係を示すものである。
【００３２】
図２（ａ）に示すように、ケース体２の内部にはセンサ回路６が一体的に配設されており、具体的に、センサ回路６は、ケース体２の内壁面であって、センサ位置マーカ５の直下にあたる箇所に接着されている。センサ回路６は、加入者引込線５０から発生する漏洩電界の変化を受けて、それに対応する所定の検知信号を出力するものであり、主に、アンテナ板７と、センサ用コンデンサ８とを備えている。
【００３３】
アンテナ板７は、加入者引込線５０に呼出信号が送出される場合に加入者引込線５０の近傍で変化する漏洩電界を、その加入者引込線５０に近接した位置で静電誘導により受信するものである。このアンテナ板７は、導電性材料で略矩形板状（図２（ｂ）参照）に形成されており、その上面がケース体２の内壁面に当接されて接着されている。また、アンテナ板７の下面には、センサ用コンデンサ８の上側の外表面が接着されている。
【００３４】
図２（ｃ）に示すように、センサ用コンデンサ８は、略円盤状に防湿塗装８ｃが施されたセラミックコンデンサの一種であり、防湿塗装８ｃの内部に一対の電極板８ａ，８ｂが対向配置され、この一対の電極板８ａ，８ｂ間に磁器誘電体８ｄが介装され、各電極板８ａ，８ｂにそれぞれ蝋着により電気接続された一対のリード線８ｅ，８ｆが防湿塗装８ｃの外部まで延出されている。
【００３５】
このセンサ用コンデンサ８の上側の外表面に接着されているアンテナ板７は、センサ用コンデンサ８の一方の電極板８ａ側（上側）を被覆する防湿塗装８ｃの外側面に接着されており、防湿塗装８ｃ越しながらも、当該一方の電極板８ａのみに近接するように配置されている。
【００３６】
図３は、呼出信号検知器１の電気的構成を示す図である。図３に示すように、呼出信号検知器１は、上記したセンサ回路６と、増幅回路９と、報知ＬＥＤ４と、電源電池１０とを備えており、これらが全て上記したケース体２内に収容されている。センサ回路６は、上記したアンテナ板７とセンサ用コンデンサ８とを備えており、アンテナ板７は、センサ用コンデンサ８における一方の電極板８ａ側の外表面に近接配置されている。このようにアンテナ板７は、センサ用コンデンサ８のリード線８ｅ，８ｆとは電気的に直接接続されていないが、アンテナ板７が受信した漏洩電界の影響を、静電誘導によってセンサ用コンデンサ８に伝達するように構成されている。
【００３７】
また、センサ用コンデンサ８は、上記した一対のリード線８ｅ，８ｆを介してセンサ回路６の各出力端にそれぞれ接続されており、センサ回路６の出力端間に電気的に並列接続されている。更に、センサ回路６の各出力端は増幅回路９の各入力端にそれぞれ接続されており、センサ回路６の出力端のうち一方は、それに接続される増幅回路９の入力端のうち一方とともに電源電池１０のグランド端（負極端）と接続されている。なお、この電源電池１０のグランド端は、電話交換機から送出される呼出信号の信号アースとは電気的に非接続状態にある。
【００３８】
増幅回路９は、センサ回路６からの検知信号が入力された場合に、その検知信号を増幅して、その増幅された検知信号を用いて、報知ＬＥＤ４に印加される電圧を周期変動させて、報知ＬＥＤ４を呼出信号の周波数に同期させて、点滅させる回路である。この増幅回路９は、その一方の出力端に報知ＬＥＤ４のアノードが接続され、他方の出力端に上記した報知ＬＥＤ４のカソードが接続されている。なお、報知ＬＥＤ４は、増幅回路９を介して、電源電池１０のグランド端とも接続されている。
【００３９】
ここで、報知ＬＥＤ４は、そのアノードがスライドスイッチ３を介して電源電池１０の正極端とも接続されており、スライドスイッチ３がオンされた場合に、電源電池１０からの電力供給を受けて点灯されるように構成されている。また、電源電池１０は、＋６Ｖの直流駆動電圧を供給する一次電池であり、その正極端がスライドスイッチ３と接続されている。なお、電源電池１０は、必ずしも一次電池に限定されるものではなく、例えば、二次電池（蓄電池）を使用しても良い。
【００４０】
図４は、増幅回路９の電気的構成を示す回路図の一例である。図４に示すように、増幅回路９はバイアス帰還型増幅回路であり、トランジスタＴｒ１〜Ｔｒ５と、抵抗Ｒ１〜Ｒ６と、コンデンサＣ１とから構成されている。この増幅回路９は、一方の入力端（図４上側）がＮＰＮトランジスタＴｒ１を介して報知ＬＥＤ４のアノードと接続されており、他方の入力端（図４下側）が電源電池１０のグランド端と接続されている。なお、上記したように報知ＬＥＤ４のアノードは、スライドスイッチ３を介して電源電池１０の正極端側とも接続されている。
【００４１】
この増幅回路９によれば、まず、ＮＰＮトランジスタＴｒ１は、ベースが増幅回路９の一方の入力端に接続され、コレクタが報知ＬＥＤ４のアノードと接続されている。ＮＰＮトランジスタＴｒ２は、ベースがＮＰＮトランジスタＴｒ１のエミッタと接続され、コレクタが報知ＬＥＤ４のアノードと接続されている。ＮＰＮトランジスタＴｒ３は、エミッタが電源電池１０のグラント端と接続され、ベースがＮＰＮトランジスタＴｒ２のエミッタと接続されている。
【００４２】
また、ＰＮＰトランジスタＴｒ４は、ベースがＮＰＮトランジスタＴｒ３のコレクタと接続され、エミッタは報知ＬＥＤ４のアノードと接続されている。ＮＰＮトランジスタＴｒ５は、ベースがＰＮＰトランジスタＴｒ４のコレクタと接続され、エミッタが電源電池１０のグランド端と接続されている。抵抗Ｒ１は、ＮＰＮトランジスタＴｒ３のベースと電源電池１０のグランド端との間に接続されている。抵抗Ｒ２は、報知ＬＥＤ４のアノードとＮＰＮトランジスタＴｒ３のコレクタとの間に接続されている。
【００４３】
抵抗Ｒ３は、ＰＮＰトランジスタＴｒ４のコレクタと電源電池１０のグランド端との間に接続されている。抵抗Ｒ４は、報知ＬＥＤ４のカソードとＮＰＮトランジスタＴｒ５のコレクタとの間に接続されている。抵抗Ｒ５は、一端がＮＰＮトランジスタＴｒ１のベースと接続され、他端がコンデンサＣ１を介して電源電池１０のグランド端と接続されている。抵抗Ｒ６は、一端がコンデンサＣ１と抵抗Ｒ５との間に接続され、他端がＮＰＮトランジスタＴｒ５のコレクタと接続されている。
【００４４】
次に、上記のように構成された呼出信号検知器１の使用方法について説明する。まず、ケース体２が現場作業員によって把持されて、スライドスイッチ３がオンされると、報知ＬＥＤ４が点灯される。それから、図２（ａ）に示すように、センサ位置マーカ５を加入者引込線５０に対向させて、ケース体２の上端面を、加入者引込線５０の外周近傍（例えば、加入者引込線５０の外周面から略１ｃｍ〜略５ｃｍ程度離れた位置）まで近接させる。このとき、ケース体２の上端面の長手方向を加入者引込線５０の軸方向（図２（ａ）左右方向）と略平行にすると、アンテナ板７が、加入者引込線５０の軸方向に対して略平行な姿勢となり、更に、そのアンテナ板７の一面が加入者引込線５０の外周に対向される。
【００４５】
この状態で、呼出信号が電話交換機側から顧客宅の電話機（図示せず）に向けて送出されると、アナログ電話回線（図示せず）と加入者引込線５０とが正常に接続されているならば、加入者引込線５０に呼出信号が送出されて、その結果、加入者引込線５０の漏洩電界の変化が生起され、その漏洩電界の変化がアンテナ板７によって受信される。このようにアンテナ板７が漏洩電界の変化を受信すると、その漏洩電界の影響が、アンテナ板７を介してセンサ用コンデンサ８における一方の電極板８ａに作用して、このセンサ用コンデンサ８から呼出信号に同期した信号が、センサ回路６の出力端間から検知信号として、増幅回路９へ出力される。
【００４６】
このセンサ回路６からの検知信号が増幅回路９の入力端に入力されると、その検知信号が増幅回路９によって増幅され、その増幅された検知信号が増幅回路９の出力端から報知ＬＥＤ４へと出力される。すると、報知ＬＥＤ４が呼出信号と同期するように点滅されて、呼出信号検知器１を使用する現場作業員に、加入者引込線５０に呼出信号が送出されていることが報知される。つまり、この報知ＬＥＤ４の点滅動作を通じて、現場作業員は、アナログ電話回線と加入者引込線５０との配線が正常になされていることを確認できる。
【００４７】
一方、アナログ電話回線と加入者引込線５０とが誤って接続されている場合は、電話交換機側から呼出信号が送出されても、その呼出信号が加入者引込線５０に対して送出されることはないので、加入者引込線５０に漏洩電界の変化が生じることもない。よって、報知ＬＥＤ４は点滅されずに点灯され続けるので、現場作業員は、電話交換機側から送出されてくるはずの呼出信号が加入者引込線５０に送出されていないと、つまり、アナログ電話回線と加入者引込線５０との接続が誤っているものと判断することができる。
【００４８】
次に、図５から図７を参照して、上記実施例の変形例について説明する。なお、以下に説明する各実施例では、それ以前に説明された別の実施例と同一の部分には同一の符号を付して、その説明を省略し、異なる部分のみを説明する。
【００４９】
図５は、第２実施例の呼出信号検知器２０について、そのセンサ回路２１の電気的構成を示す回路図である。第２実施例の呼出信号検知器２０は、上記した第１実施例の呼出信号検知器１に対して、センサ回路の電気的構成を変更したものである。図５に示すように、第２実施例の呼出信号検知器２０によれば、センサ用コンデンサ８は、その一方の電極板８ａに接続されているリード線８ｅに、アンテナ板７が電気的に接続されている。このように、センサ用コンデンサ８とアンテナ板７とが直接電気的に接続された第２実施例の呼出信号検知器２０であっても、第１実施例と同様な作用および効果を発揮することができる。
【００５０】
図６（ａ）は、第３実施例の呼出信号検知器３０の正面図であって、その内部構造を部分的に拡大断面視したものであり、図６（ｂ）は、図６（ａ）のＢ−Ｂ’線における断面図である。また、図６（ａ）中の２点鎖線は、呼出信号検知器３０を使用する場合における、呼出信号検知器３０に対する加入者引込線５０の位置関係を示すものである。
【００５１】
第３実施例の呼出信号検知器３０は、上記した第１実施例の呼出信号検知器１に対して、アンテナ板の形態を変更したものである。図６に示すように、第３実施例の呼出信号検知器３０によれば、センサ回路３１のアンテナ板３２は、２片の平板部３２ａ，３２ｂが側面視略Ｌ字形に連設された形態を有しており、その一方の平板部３２ａがケース体２の内壁面に当接されて接着され、他方の平板部３２ｂにセンサ用コンデンサ８の片方の外表面が接着されている。このように、アンテナ板３２が適用される第３実施例の呼出信号検知器３０であっても、第１実施例と同様な作用および効果を発揮することができる。
【００５２】
図７は、第４実施例の呼出信号検知器４０の外観図であって、図７（ａ）は、呼出信号検知器４０の正面図であり、図７（ｂ）は、呼出信号検知器４０の右側面図であり、図７（ｃ）は、呼出信号検知器４０の平面図（上面図）である。なお、図７中の２点鎖線は、呼出信号検知器４０を使用する場合における、呼出信号検知器４０に対する加入者引込線５０の位置関係を示すものである。
【００５３】
第４実施例の呼出信号検知器４０は、第１実施例の呼出信号検知器１に対して、アンテナ板の形態を変更したものである。図７に示すように、第４実施例の呼出信号検知器４０は、ケース体４１の上端部に、ケース体４１の幅方向（図７（ａ）左右方向）に貫通する側面視略凹字形の介挿溝４２が凹設されており、この介挿溝４２の溝幅方向（図７（ｂ）左右方向）両側に立設される溝壁面４２ａ，４２ｂにアンテナ板４４，４５がそれぞれ取着されている。
【００５４】
図７（ｂ）に示すように、一対のアンテナ板４４，４５は、導電性材料で略矩形板状に形成されており、加入者引込線５０の外径以上の間隔を隔てて互いに略平行に対向配置されている。このため、ケース体４１の介挿溝４２は、加入者引込線５０が余裕をもった状態で、一対のアンテナ板４４，４５間に介挿されるように形成されている。なお、本実施例では、各アンテナ板４４，４５の横幅（図７（ａ）の左右方向長さ）が略３０ｍｍとされている。
【００５５】
図８は、第４実施例の呼出信号検知器４０のセンサ回路４３の電気的構成を示す回路図である。図８に示すように、第４実施例のセンサ回路４３によれば、そのセンサ回路４３の出力端間に電気的に並列接続されるセンサ用コンデンサ８は、その一方の電極板８ａが一方のアンテナ板４４と接続されており、その他方の電極板８ｂが他方のアンテナ板４５と接続されている。
【００５６】
この第４実施例の呼出信号検知器４０によれば、加入者引込線５０を介挿溝４２内へ遊挿させることで、一対のアンテナ板４４，４５間に加入者引込線５０を介挿させる。すると、加入者引込線５０が一対のアンテナ板４４，４５間に挟み込まれる格好となり、このとき、アナログ電話回線と加入者引込線５０とが正常に接続されているならば、呼出信号が電話交換機側から顧客宅の電話機に向けて送出されると、加入者引込線５０に呼出信号が送出されて、その結果、加入者引込線５０の漏洩電界の変化が生起され、その漏洩電界の変化が一対のアンテナ板４４，４５によって受信される。
【００５７】
一対のアンテナ板４４，４５が漏洩電界の変化を受信すると、センサ回路４３では、その一方のアンテナ板４４が受けた漏洩電界がセンサ用コンデンサ８における一方の電極板８ａに作用し、なおかつ、その他方のアンテナ板４５が受けた漏洩電界がセンサ用コンデンサ８における他方の電極板８ｂに作用して、このセンサ用コンデンサ８から呼出信号に同期した信号が、センサ回路４３の出力端間から検知信号として、増幅回路９へ出力される。
【００５８】
ここで、アンテナ板４４，４５を一対の電極と見立てたときに、その電極の面積Ｓ、電極間の距離ｄ、電極間に誘導される電位Ｖ、空気の誘電率εとすると、これらの電極の静電容量（電気容量）Ｃは、Ｃ＝ε・Ｓ／ｄ（「・」は乗算の演算子で、「／」は除算の演算子である。以下同じ。）となるが、上記したアンテナ板４４，４５の電極形態からすれば、これらの電極の静電容量Ｃは極めて小さく、このため、電極間に蓄積される電荷量Ｑ（＝Ｖ・Ｃ＝Ｖ・ε・Ｓ／ｄ）も同様に小さくなる。
【００５９】
しかしながら、本実施例では、上記したようにセンサ用コンデンサ８がアンテナ板４４，４５に対して電気的に並列接続されており、このことでアンテナ板４４，４５間の静電容量Ｃが格段に大きくされ、更に、蓄積される電荷量Ｑも大きくされているため、漏洩電界変化の検知感度が著しく向上されているものと考えられる。しかも、このようにアンテナ板４４，４５間に蓄積される電荷量Ｑが大きくなる一方で、電圧がほぼ同様であることからインピーダンスを低くすることもできるのである。
【００６０】
もっとも、このようにセンサ用コンデンサ８をアンテナ板４４，４５に対して並列接続すると、アンテナ板４４，４５間の静電容量Ｑを増大できる反面、アンテナ板４４，４５の電位の変化に要する時間が増加してしまう。このため、検知対象である加入者引込線５０に送出される呼出信号の周波数とセンサ用コンデンサ８の静電容量とは相反する関係となって、センサ用コンデンサ８の静電容量には最適値が存在することとなる。そこで、本実施例では、センサ用コンデンサ８の静電容量の最適値として略０．０２５μＦを採用している。
【００６１】
以上、実施例に基づき本発明を説明したが、本発明は上記実施例に何ら限定されるものではなく、本発明の趣旨を逸脱しない範囲内で、寸法、形状、回路構成など種々の改良変形が可能であることは容易に推察できるものである。例えば、本実施例では、本発明の電話用低周波信号検知器を、加入者引込線に送出される呼出信号を検出するための機器に適用したが、本発明の適用範囲は必ずしもこれに限定されるものではなく、低周波信号に基づく漏洩電界を検知する用途であれば、他の用途にも適用することは可能である。
【００６２】
また、上記各実施例では、呼出信号検知器の電源電池１０からの給電をオンオフするための手段としてスライドスイッチ３を例に説明したが、かかる給電オンオフ手段の形態は必ずしもこれに限定されるものではなく、ケース体の外部にタッチスイッチを配設するようにしても良い。このようにすれば、呼出信号検知器の使用者は、タッチスイッチに軽く指先で触れるだけで、タッチスイッチをオン状態にして電源電池からの給電を開始させることができ、一方、タッチスイッチから指先を離すことで、タッチスイッチをオフ状態にして電源電池からの給電を停止させることができる。
【００６３】
この結果、スライドスイッチのようなスイッチ用の開口部が不要となるので、機器の防水性を高めることができる。しかも、片手でケース体を持ちながら、そのケース体を持つ手の指先を僅かに動かすだけで、電源をオンオフできるので、使用者が煩わしさを感ずることなく、こまめに電源をオンオフすることができ、電源電池の消費量を大幅に節約することもできる。
【００６４】
なお、このようなタッチスイッチを実施する場合は、例えば、上記したスライドスイッチをなくして、報知ＬＥＤのアノードを電源電池の正極端に直接接続した上で、ケース体の外部には、２極の接点（例えば平面状の接触子）が新たに配設され、更に、ケース体内には、センサ回路、増幅回路及び報知ＬＥＤとは別にタッチスイッチ用の制御回路が新たに設けられる。
【００６５】
このタッチスイッチ用の制御回路は、例えば、前記一方の接点が電源電池の正極端に接続され、その他方の接点がダイオードのアノードに接続され、そのダイオードのカソードがダーリントン接続されている前段トランジスタのベースに接続され、そのダーリントン接続されている後段トランジスタのエミッタが電源電池のグランド端に接続され、その前段及び後段トランジスタのコレクタが増幅回路における一方の入力端（図４において電源電池のグランド端側が接続されるもの）に接続される。
【図面の簡単な説明】
【００６６】
【図１】本発明の一実施例である呼出信号検知器の外観斜視図である。
【図２】（ａ）は、呼出信号検知器の正面図であって、その内部構造を部分的に拡大断面視したものであり、（ｂ）は、（ａ）のＢ−Ｂ’線における断面図であり、（ｃ）は、（ｂ）のＣ−Ｃ’線における断面図であってセンサ用コンデンサの内部構造を示したものである。
【図３】呼出信号検知器の電気的構成を示す図である。
【図４】増幅回路の電気的構成を示す回路図の一例である。
【図５】第２実施例の呼出信号検知器について、そのセンサ回路の電気的構成を示す回路図である。
【図６】（ａ）は、第３実施例の呼出信号検知器の正面図であって、その内部構造を部分的に拡大断面視したものであり、（ｂ）は、（ａ）のＢ−Ｂ’線における断面図である。
【図７】第４実施例の呼出信号検知器の外観図であって、（ａ）は、呼出信号検知器の正面図であり、（ｂ）は、呼出信号検知器の右側面図であり、（ｃ）は、呼出信号検知器の平面図である。
【図８】第４実施例の呼出信号検知器のセンサ回路の電気的構成を示す回路図である。
【符号の説明】
【００６７】
１，２０，３０        呼出信号検知器（電話用低周波信号検知器）
２                    ケース体（筐体）
４                    報知ＬＥＤ（報知回路）
６                    センサ回路
７                    アンテナ板（アンテナ素子の平板部、アンテナ素子）
８                    センサ用コンデンサ
８ａ                  電極板（センサ用コンデンサの一方の電極板）
９                    増幅回路
２０                  呼出信号検知器（電話用低周波信号検知器）
２１                  センサ回路
３０                  呼出信号検知器（電話用低周波信号検知器）
３１                  センサ回路
３２                  アンテナ板（アンテナ素子）
３２ａ                平板部（アンテナ素子の板状部）
４０                  呼出信号検知器（電話用低周波信号検知器）
４１                  ケース体（筐体）
４３                  センサ回路
４４，４５            アンテナ板（一対の板状部、アンテナ素子）
５０                  加入者引込線
【図１】
2007258764.tif 000003
【図２】
2007258764.tif 000004
【図３】
2007258764.tif 000005
【図４】
2007258764.tif 000006
【図５】
2007258764.tif 000007
【図６】
2007258764.tif 000008
【図７】
2007258764.tif 000009
【図８】
2007258764.tif 000010